(57)【特許請求の範囲】
【請求項１】
一対の取付フレームを天井面等に取付け、対となる一方の水平フレームの前後端部に垂直フレームを起立連結して略Ｕ字状となる第１支持フレームにおける垂直フレームの上端部を取付フレームに連結し、他方の水平フレームの後部に垂直フレームを起立連結して略Ｌ字状となる第２支持フレームの垂直フレームを取付フレームに連結し、エアコン室外機を取付けた載置フレームのエアコン室外機の重い側の端部を第１支持フレームの水平フレームに載置して固定し、エアコン室外機の軽い側の端部を第２支持フレームの水平フレームに載置して固定し、その後、第２支持フレームの水平フレームの前端部と取付フレームとを他の垂直フレームにて連結することを特徴とするエアコン室外機の据付方法。
【発明の詳細な説明】
【０００１】
【発明の属する技術分野】
本発明は、エアコン室外機の据付方法に関し、詳しくは、エアコン室外機を容易に取付ることができながら、安全性を向上させようとする技術に係るものである。
【０００２】
【従来の技術】
従来、エアコン室外機Ｅを天井面等に取付る据付台は、図１１に示すように、天井面等に取付ける取付フレーム１ａ、取付フレーム１ａに垂下されて取付けられる垂下フレーム２ａ、垂下フレーム２ａの下端に支持される水平フレーム３ａを備え、エアコン室外機Ｅを取付けた載置フレーム４ａを水平フレーム３ａに載置して固定するものである。
【０００３】
このような構成においては、施工性を高めるために正面側が開放されている。
【０００４】
【発明が解決しようとする課題】
ところで、このような構成においては、垂直フレーム２ａ、２ａが背部にしかないため、構造的に不安定で、強度面に問題がある。特に、マンションの高階層等の強風圧を受ける場所に設置された場合等において、強風を受けたり、地震などによる振動を受けた場合、危険であり、安心できないものである。
【０００５】
また、エアコン室外機Ｅを据付台に取付るのに際して、予め、調整しておいた取付位置がずれていた場合、室外機を持ち上げながらの作業となるため、再度の調整が必要となり、手間を要するものである。
【０００６】
本発明はこのような問題に鑑みてなされたものであり、エアコン室外機を容易に取付ることができながら、安全性を向上させることができるエアコン室外機の据付方法を提供することを課題とするものである。
【００１３】
【課題を解決するための手段】
請求項１においては、一対の取付フレーム１，１を天井面等に取付け、対となる一方の水平フレーム３の前後端部に垂直フレーム２，２を起立連結して略Ｕ字状となる第１支持フレーム１１における垂直フレーム２，２の上端部を取付フレーム１に連結し、他方の水平フレーム３の後部に垂直フレーム２を起立連結して略Ｌ字状となる第２支持フレーム１２の垂直フレーム２を取付フレーム１に連結し、エアコン室外機Ｅを取付けた載置フレーム４，４のエアコン室外機Ｅの重い側の端部を第１支持フレーム１１の水平フレーム３に載置して固定し、エアコン室外機Ｅの軽い側の端部を第２支持フレーム１２の水平フレーム３に載置して固定し、その後、第２支持フレーム１２の水平フレーム３の前端部と取付フレーム１とを他の垂直フレーム２にて連結することを特徴とするものである。このような構成によれば、エアコン室外機Ｅの重い側を略Ｕ字状に組付けた第１支持フレーム１１に載置し、エアコン室外機Ｅの軽い側を略Ｌ字状となって前方が開放されている第２支持フレーム１２に載置し、その後、第２支持フレーム１２の前部において垂直フレーム２を連結するのであり、エアコン室外機Ｅの取付けを安全、かつ、容易におこなえながら、エアコン室外機Ｅの支持強度を高めることができる。
【００１４】
【発明の実施の形態】
以下、本発明の参考例を説明する。図１（ａ）（ｂ）は施工途中の斜視図、図２は施工途中の斜視図、図３は施工後の斜視図である。
【００１５】
本参考例のエアコン室外機の据付台Ａは、例えば、上階のベランダの床の下面側で下階から見ると天井面となる造営面に略平行に取付けられる一対の取付フレーム１，１と、前後の取付フレーム１，１に連結される前後の各対となる垂直フレーム２，２、垂直フレーム２，２と、前後の垂直フレーム２，２に連結されて前後方向に長い一対の水平フレーム３，３と、エアコン室外機Ｅが取付け固定されるとともに水平フレーム３，３に跨って載置固定される載置フレーム４，４とを備えている。
【００１６】
即ち、本参考例においては、垂直フレーム２，２、垂直フレーム２，２は、エアコン室外機Ｅの前面側と背面側とに各一対設けるとともに、前面側の一対は、取付フレーム１及び水平フレーム３に対してボルトのような固定具１５，１６によって後付けできるようにして着脱自在にしたものである。以下、詳述する。
【００１７】
図４は取付フレーム１の一例を示していて、取付フレーム１，１は略Ｌ字状に形成されて取付孔１３において天井面にボルト等にて前後方向に間隔を隔てて取付けられる。取付フレーム１には被係止部８としてのスリット状の引掛け孔３２が形成されている。又、取付孔３３が形成されている。垂下フレーム２はチャンネル状に形成されて後部の取付フレーム１の取付片１４にボルトのような固定具１５にて垂下されて取付けられる。垂下フレーム２の下端にはチャンネル状に形成されて前後方向に長い水平フレーム３が回動及び固定連結部１０，９においてボルトのような固定具１６，１７にて略水平に取付けられる。エアコン室外機Ｅには前後に載置フレーム４がボルトのような固定具１８にて取付けられている。
【００１８】
このように、前面側の一対の垂直フレーム２，２を取付けていない前方が開放された状態において、図１（ａ）に示すように、エアコン室外機Ｅを載置フレーム４を介して水平フレーム３，３間に跨らせ、水平フレーム３と載置フレーム４とをボルトのような連結具１９にて連結してエアコン室外機Ｅを据付台Ａに容易に取付けるである。その後、図３に示すように、前面側の一対の垂直フレーム２，２を取付フレーム１と水平フレーム３間に取付るのである。しかして、据付台Ａの構造を堅牢にでき、強風や地震時においてもエアコン室外機Ｅの保持を充分におこなえるのである。
【００１９】
図６に示すように、水平フレーム３の端部に、載置フレーム４が外れるのを阻止する外れ止め部５を設けている。具体的には、チャンネル状の水平フレーム３の前後端部に立上げたものである。しかして、図２に示すように、前面側に垂直フレーム２，２を取付けていない施工の途中において、エアコン室外機Ｅを取付けている載置フレーム４が水平フレーム３上を滑って外れ落ちる落下事故を防止することができるのである。
【００２０】
図８は補強部材６を示し、側片２６，２６間の取付片２７に取付孔２０が形成され、側片２６の上端部には押さえ片２８が形成されて断面ハット形に形成されている。しかして、チャンネル状の垂直フレーム２の上端部内に補強部材６が挿入されて取付孔２０、取付孔３３において固定具１５にて取付フレーム１に固定され、押さえ片２８にて垂直フレーム２の対向する側壁片２９，２９の端部を押さえることで、垂直フレーム２の揺動を阻止するようにしたものであり、エアコン室外機Ｅの支持強度を、一層、高めることができるものである。
【００２１】
ところで、垂直フレーム２の上端部に切欠き２１を形成するとともに底面の上端部に係止部７としてのフック３１を折曲げて形成している。一方、取付フレーム１には被係止部８として例えばスリット状の引掛け孔３２が形成されている。しかして、取付フレーム１のフック部７を被係止部８としての引掛け孔３２に係入することで、係止連結した上で固定することができて施工性を高めることができるのである。特に、エアコン室外機Ｅを設置した後に垂直フレーム２を取付フレーム１に取付ける施工方法において、垂直フレーム２を取付フレーム１に係止部７と被係止部８との係止によって仮固定することができることから、作業者の支持力の負担を大きく軽減することができる。
【００２２】
このようなフック部３１の構成は種々設計変更可能である。又、被係止部８としての構成も引掛け孔３２に限定されることなく種々設計変更可能である。
【００２３】
ところで、水平フレーム３の前後端部及び垂直フレーム２の下端部には貫通孔２２ａ，２２ｂ、貫通孔２３ａ，２３ｂが形成され、貫通孔２２ａ，２３ａが固定連結部９を、貫通孔２２ｂ，２３ｂが回動連結部１０となっている。しかして、固定連結部９と回動連結部１０とを各々固定具１６，１７にて固定することで、垂直フレーム２に水平フレーム３を所定角度に固定することができるのであり、又、回動連結部９を解除した固定連結部１０による連結によって、垂直フレーム２に対して水平フレーム３を回動させて水平フレーム３の内部に垂直フレーム２を挿入することによって重ねることができるのであり、運搬や保管等、非使用時の取扱いを効率よく容易におこなうことができ、又、使用時の組立の手間も低減することができるのである。
【００２４】
以上のような構成において、本参考例の施工方法は、図１乃至図３に示すように、取付フレーム１，１を天井面に取付け、奥の取付フレーム１に二本の垂直フレーム２，２を補強部材６を介して取付け、二本の垂直フレーム２，２の下端に固定連結部９及び回動連結部１０において水平フレーム３，３を取付け、このように前方が開放された状態で、エアコン室外機Ｅを取付けた載置フレーム４を水平フレーム３に載置して固定し、その後、エアコン室外機Ｅの前面側において、取付フレーム１及び水平フレーム３に垂直フレーム２を連結させるのである。このような施工方法においては、前面側の一対の垂直フレーム２，２を取付けていない前方が開放された状態においてエアコン室外機Ｅを取付けることができ、取付けが容易におこなえながら、その後、前面側の一対の垂直フレーム２，２を取付ることから、据付台の構造を堅牢にでき、強風や地震時においてもエアコン室外機Ｅの保持を充分におこなえるのである。
【００２５】
図９及び図１０は、本発明の据付方法の実施の形態を示している。但し、本実施の形態の基本構成は上記参考例と共通であり、共通する部分には同一の符号を付して説明は省略する。
【００２６】
本実施の形態においては、対となる一方（図９において右）の水平フレーム３の前後端部に垂直フレーム２，２を起立連結して略Ｕ字状となる第１支持フレーム１１における垂直フレーム２，２の上端部を取付フレーム１，１に連結する。又、他方（図９において左）の水平フレーム３の後部に垂直フレーム２を起立連結して略Ｌ字状となる第２支持フレーム１２の垂直フレーム２を取付フレーム１の他端部に連結するのである。
【００２７】
その後、エアコン室外機Ｅを取付けた載置フレーム４，４のエアコン室外機Ｅの重い側の端部を第１支持フレーム１１の水平フレーム３に載置して固定し、次に、エアコン室外機Ｅの軽い側の端部を第２支持フレーム１２の水平フレーム３に載置して固定するのである。
【００２８】
その後、第２支持フレーム１２の水平フレーム３の前端部と取付フレーム１とを他の垂直フレーム２にて連結するのである。このように、エアコン室外機Ｅの重い側を略Ｕ字状に組付けた第１支持フレーム１１に載置し、エアコン室外機Ｅの軽い側を略Ｌ字状となって前方が開放されている第２支持フレーム１２に載置し、その後、第２支持フレーム１２の前部において垂直フレーム２を連結するのであり、エアコン室外機Ｅの取付けを安全、かつ、容易におこなえながら、エアコン室外機Ｅの支持強度を高めることができるのである。
【００３５】
【発明の効果】
請求項１においては、一対の取付フレームを天井面等に取付け、対となる一方の水平フレームの前後端部に垂直フレームを起立連結して略Ｕ字状となる第１支持フレームにおける垂直フレームの上端部を取付フレームに連結し、他方の水平フレームの後部に垂直フレームを起立連結して略Ｌ字状となる第２支持フレームの垂直フレームを取付フレームに連結し、エアコン室外機を取付けた載置フレームのエアコン室外機の重い側の端部を第１支持フレームの水平フレームに載置して固定し、エアコン室外機の軽い側の端部を第２支持フレームの水平フレームに載置して固定し、その後、第２支持フレームの水平フレームの前端部と取付フレームとを他の垂直フレームにて連結するから、エアコン室外機の重い側を略Ｕ字状に組付けた第１支持フレームに載置し、エアコン室外機の軽い側を略Ｌ字状となって前方が開放されている第２支持フレームに載置し、その後、第２支持フレームの前部において垂直フレームを連結するのであり、エアコン室外機の取付けを安全、かつ、容易におこなえながら、エアコン室外機の支持強度を高めることができるという利点がある。
【図面の簡単な説明】
【図１】本発明の参考例を示し、（ａ）（ｂ）は施工途中の斜視図である。
【図２】同上の施工途中の斜視図である。
【図３】同上の施工後の斜視図である。
【図４】同上の取付フレームを示し、（ａ）は平面図、（ｂ）は側面図、（ｃ）は端面図である。
【図５】同上の垂直フレームを示し、（ａ）は正面図、（ｂ）は側面図、（ｃ）は端面図、（ｄ）は拡大側面図である。
【図６】同上の水平フレームを示し、（ａ）は側面図、（ｂ）は底面図、（ｃ）は断面図である。
【図７】同上の載置フレームを示し、（ａ）は側面図、（ｂ）は平面図、（ｃ）は端面図である。
【図８】同上の補強部材を示し、（ａ）は正面図、（ｂ）は端面図、（ｃ）は側面図である。
【図９】同上の実施の形態を示す施工途中の斜視図である。
【図１０】（ａ）は同上の施工途中の斜視図、（ｂ）は施工後の斜視図である。
【図１１】従来例の斜視図である。
【符号の説明】
１  取付フレーム
２  垂直フレーム
３  水平フレーム
４  置フレーム
１１  第１支持フレーム
１２  第２支持フレーム
【図１】
0003632512.tif 000002
【図２】
0003632512.tif 000003
【図３】
0003632512.tif 000004
【図４】
0003632512.tif 000005
【図５】
0003632512.tif 000006
【図６】
0003632512.tif 000007
【図７】
0003632512.tif 000008
【図８】
0003632512.tif 000009
【図９】
0003632512.tif 000010
【図１０】
0003632512.tif 000011
【図１１】
0003632512.tif 000012